(57)【要約】      （修正有）【課題】固形石鹸を収容したネットに石鹸飛び出し防止機能、洗浄中に泡が自然と手に移動するしくみ、保管のときは吊下げても、置くことも可能等により手早い洗浄行動ができ、且つ空間を飾るインテリアとなる固形石鹸用泡立ネットを提供する。【解決手段】固形石鹸を収容したネット上部にストッパー機能付き装飾握り玉２を設け、閉じたネックが洗浄中に開かないようにする。本体ネットは、内側の石鹸ホルダーネット６と中間空気層と外側の泡立てネット７の３重構造により、洗浄中に泡が自然と手に移動し、使用後は固形石鹸を投入したまま水で濯いだ後自然乾燥しながら吊下げても、水切り機能付きの石鹸受皿に置いても保管ができること等の機能により、素早い洗浄行動ができる。又ストッパー機能付き装飾握り玉２と装飾化粧ヒダ４等により、空間を飾るインテリア備品としての存在感を提供できる。【選択図】図１
0003180078.tif 000002
【実用新案登録請求の範囲】
【請求項１】
本考案は、両端が開放した、筒状の網目化学繊維材料のネット基材を使用する。最上部に袋状の装飾を目的とした装飾化粧ヒダがあり空間を飾るインテリア備品としての存在を提供する。
【請求項２】
装飾化粧ヒダの下部分は、締め紐付ネック部分で上下にミシン掛け縫いにより閉じられた筒状の部分が構成され、ストッパー機能付き装飾握り玉付きの紐を通し、その紐を絞り、筒状の口を閉じる機能がある。口を絞るとストッパー機能付き装飾握り玉により紐が緩むのを止める機能がある。
【請求項３】
締め紐付ネックの下部分は、２重の網目化学繊維材料のネット基材より形成される内側の石鹸ホルダーネットと外側の泡立てネットで構成されている。内側の石鹸ホルダーネットと外側の泡立てネットは、お互いの底部分で一体的に溶着されていて、一体型の２重型袋状になっている。内側の石鹸ホルダーネットより外側の泡立てネットの方が大きな袋状となっている為、お互いのネットの間に空間が発生する。上端の口から内側の石鹸ホルダーネットに固形石鹸を投入し、ストッパー機能付き装飾握り玉付きの紐を絞り、口を閉じて水又は、お湯等を少量介在させて両手に包み揉みながら、泡立てると、内側の石鹸ホルダーネットと外側の泡立てネットの間に自然に空気を取り込んだきめ細かい泡が発生する。泡は、手揉みを繰り返すことで外側の泡立てネットの外部へ押し出されて、ネットから泡を引き絞ることなく自然に手に移動する。
【請求項４】
本考案は、最上部は、ストッパー機能付き装飾握り玉により上端の口が閉じられた状態であり、最下部は、内側の石鹸ホルダーネットと外側の泡立てネットの底部分が一体的に溶着され袋状となり、閉じた状態である。内側の石鹸ホルダーネットと外側の泡立てネットを一体で溶着することで、最下部は、２重のネットが１点に絞られた状態になり複雑にネットどうしが多くのヒダを形成し、隙間を生む。最下部が閉じた状態により石鹸受皿に置いて保管ができ、且つヒダ形状の隙間が乾燥を促進する機能を持つ等を特徴とする固形石鹸用泡立てネット。
【考案の詳細な説明】
【技術分野】
【０００１】
本考案は、身体の部分の泡洗浄において、素早い洗浄行動ができ、且つインテリア備品となる固形石鹸用泡立てネットに関する。
【背景技術】
【０００２】
公知の泡立てネットとして、固形石鹸を内蔵させて、この固形石鹸を使って泡を作ることができるだけでなく、固形石鹸を取り出して使用したときに使用者にソフトな使用感を提供することのできる泡立てネットがある（特許文献１）。
【先行技術文献】
【特許文献】
【０００３】
【特許文献１】特開２０１１−１９６９０号公報
【考案の概要】
【考案が解決しようとする課題】
【０００４】
特許文献１は、固形石鹸を収容して紐を引き締めて上端の口を閉じて泡立てをすると、泡立て最中に口が開き固形石鹸が飛び出してしまう。またネットに泡立てた後ネットを引き絞りながら生成した泡を手のひらに移すので時間がかかる。全体の形状の下部がスカート状になっているので、固形石鹸を収容したままでの保管方法は、吊下げ方式のみの対応になり、石鹸受皿などに置くことができない。
【０００５】
本考案は、固形石鹸を投入し上端の口を閉じたときに紐止具により泡立て最中に固形石鹸がネットから飛び出さないこと、泡立て最中に泡が本体ネットから人の手などに自然に移動する構造であること、使用後は固形石鹸を投入したまま水で濯いだ後自然乾燥しながら吊下げても、水切り機能付きの石鹸受皿に置いても保管ができること等の機能により、素早い洗浄行動ができ、且つ空間を飾るインテリア備品としての存在感を提供できる固形石鹸用泡立てネットに関する提案により、前述の欠点を解決しようとするものである。
【課題を解決するための手段】
【０００６】
本考案は、両端が開放した、筒状の網目化学繊維材料のネット基材を使用する。最上部に袋状の装飾を目的とした装飾化粧ヒダがあり空間を飾るインテリア備品としての存在を提供する。
【０００７】
装飾化粧ヒダの下部分は、締め紐付ネック部分で上下にミシン掛け縫いにより閉じられた筒状の部分が構成され、ストッパー機能付き装飾握り玉付きの紐を通し、その紐を絞り、筒状の口を閉じる機能がある。口を絞るとストッパー機能付き装飾握り玉により紐が緩むのを止める機能がある。
【０００８】
締め紐付ネックの下部分は、２重の網目化学繊維材料のネット基材より形成される内側の石鹸ホルダーネットと外側の泡立てネットで構成されている。内側の石鹸ホルダーネットと外側の泡立てネットは、お互いの底部分で一体的に溶着されていて、一体型の２重型袋状になっている。内側の石鹸ホルダーネットより外側の泡立てネットの方が大きな袋状となっている為、お互いのネットの間に空間が発生する。上端の口から内側の石鹸ホルダーネットに固形石鹸を投入し、ストッパー機能付き装飾握り玉付きの紐を絞り、口を閉じて水又は、お湯等を少量介在させて両手に包み揉みながら、泡立てると、内側の石鹸ホルダーネットと外側の泡立てネットの間に自然に空気を取り込んだきめ細かい泡が発生する。泡は、手揉みを繰り返すことで外側の泡立てネットの外部へ押し出されて、ネットから泡を引き絞ることなく自然に手に移動する。
【０００９】
本考案は、最上部は、ストッパー機能付き装飾握り玉により上端の口が閉じられた状態であり、最下部は、内側の石鹸ホルダーネットと外側の泡立てネットの底部分が一体的に溶着され袋状となり、閉じた状態である。内側の石鹸ホルダーネットと外側の泡立てネットを一体で溶着することで、最下部は、２重のネットが１点に絞られた状態になり複雑にネットどうしが多くのヒダを形成し、隙間を生む。最下部が閉じた状態により石鹸受皿に置いて保管ができ、且つヒダ形状の隙間が乾燥を促進する機能を持つ等の機能により問題点を解決している。
【考案の効果】
【００１０】
上述の様に、本考案の固形石鹸用泡立てネットは、固形石鹸の出し入れ部分のネックが容易に開閉でき固形石鹸の出し入れが簡単であること、固形石鹸を投入しネックを閉じたときに紐止具により泡立て最中に固形石鹸がネットから飛び出さないこと、短時間で空気を含んだ細かい泡を立てること、泡の発生量が確認しやすく泡量の調整ができること、泡立て最中に泡が本体ネットから人の手などに移動する構造であること、使用後は固形石鹸を投入したまま水で濯いだ後自然乾燥しながら吊下げても、水切り機能付きの石鹸受皿に置いても保管ができること等の機能により、素早い洗浄行動ができ、且つ最上部の装飾化粧ヒダとストッパー機能付き装飾握り玉等により空間を飾るインテリア備品としての存在を提供できる固形石鹸用泡立てネットである。
【図面の簡単な説明】
【００１１】
【図１】本考案の固形石鹸用泡立てネットの一実施例を示す斜視図である。
【図２】筒状の網目化学繊維材料のネット基材の一端を筒内部に折り返し挿入する製造工程の説明図である。
【図３】図２で一端を筒内部に折り返し挿入した説明図である。
【図４】図３の状態に２ヶ所ミシン掛けを施工した説明図である。
【図５】図４の状態から固形石鹸用泡立てネットの底部を熱溶着した説明図である。
【図６】本考案の固形石鹸用泡立てネットのネックを開いた状態を示す斜視図である。
【図７】図６のＡ−Ａ線に沿った断面図である。
【図８ａ】ストッパー機能付き装飾握り玉２の断面図である。
【図８ｂ】ストッパー機能付き装飾握り玉２の断面図である。
【考案を実施するための形態】
【００１２】
本考案の実施形態を図１に示す。固形石鹸用泡立てネットの本体は、固形石鹸を収容する内側ネットと泡立てをする外側ネットで構成され、上部のネック部分を紐で絞りネックが開閉可能な構造となっている。ネックの上部には、装飾を目的とした化粧用ヒダが紐を絞ってネックを閉じることで、花びらのような形状を作り出す。装飾化粧ヒダの上部には、ネックを絞った紐の緩みを止める機能のある化粧握り玉がネックの閉じ口を隠すように位置する。握り玉の上部には、ネックを絞った紐と手掛かりとなるボールが設置されている。
【実施例１】
【００１３】
網目化学繊維材料のネット基材で製造された両端が開口している筒状ネット図２の一端を内側に折り返しながら筒状の内部に挿入してゆき、図３のようにそれぞれの端部３０と３１をずらした位置でセットする。
【００１４】
図４のように端部とは反対側の折り返された縁側を装飾化粧ヒダ４の部分を確保して、筒状に２ヶ所ミシン掛けすることで縫い目１０を形成する。２本の縫い目１０の間に締め紐付ネック５ができる。これで長い方のネットが最終形態の外側の泡立てネット部分７となり、短い方のネットが最終形態の内側の石鹸ホルダーネット部分６となる。
【００１５】
筒状に形成された締め紐付ネック５に図６のように対象の位置関係で上下の縫い目補強部分１２をミシン掛けし、左右の補強兼ネット解れ止め１３を橋渡し状にミシンで縫う。
【００１６】
上記の上下の縫い目補強部分１２及び左右の補強兼ネット解れ止め１３で囲まれた部分に図５のように締め紐付ネック５部分の中に紐３を通すための穴１１を形成する。穴１１は、最終形態の内側の石鹸ホルダーネット部分６側のネットの面にのみ対象の位置関係で２ヶ所形成する。
【００１７】
固形石鹸用泡立てネットの底部を形成するため、図４のそれぞれの端部３０，３１を１点に絞り揃えて図５のように熱溶着８する。図５の袋状が形成された全体を外側と内側を裏返して図６や図７に示すようなネットの位置関係にする。
【００１８】
次いで、図６に示すように、締め紐付ネック５部分の中に紐３を挿入していく。紐３は、２本を使用し、それぞれ１本を筒状の締め紐付ネック５の半周部分に挿入し、紐３の両端部を対象位置にある２ヶ所の穴１１から引き出しておく。紐３を締め紐付ネック５の半周部分に挿入することで、１本の紐を全周に挿入した場合よりも固形石鹸を出し入れする際に紐３と締め紐付ネック５のネットとの摩擦を半減させネックの開閉しやすさを促し、且つ穴１１の解れ防止の効果が生まれる。
【００１９】
２ヶ所の穴１１から引き出された、紐３の端部４本を一体として、ストッパー機能付き装飾握り玉２の穴に通し、その後エンドボール１の内部に挿入して紐３の端部を括りエンドボール１の内部に収める。
【００２０】
ネックを絞った紐の緩みを止める機能は、ストッパー機能付き装飾握り玉２の穴に紐３を通した際に発生する摩擦を利用した構造とする。お互いの摩擦係数レベルを調整することで、紐の緩み止め効果及び固形石鹸を投入するためにネックを開くときに素早くストッパー機能付き装飾握り玉２が紐３をガイドにして滑り、作業し易い構造にする。
【００２１】
図８ａに示すように、ストッパー機能付き装飾握り玉２に貫通した穴をあけ、穴の大きさと握り玉２の弾性素材の性質を利用して、紐３との摩擦力を生む構造とする。
【００２２】
以上、本考案の固形石鹸用泡立てネットの一例を説明したが、図８ｂに示すようにストッパー機能付き装飾握り玉２の形状を変えたり、コーティング素材３３等との併用を施したり、図７に示すように、装飾化粧ヒダ４の中に装飾のためのビーズ状の物２０や紐状の物やシート状の物等を挿入することが可能である。
【符号の説明】
【００２３】
１    エンドボール
２    ストッパー機能付き装飾握り玉
３    紐
４    装飾化粧ヒダ
５    締め紐付ネック
６    内側の石鹸ホルダーネット
７    外側の泡立てネット
８    熱溶着
９    内側の石鹸ホルダーネット６と外側の泡立てネット７の間の空気層スペース
１０    縫い目
１１    穴
１２    上下の縫い目補強縫い
１３    左右の補強兼ネット解れ止め縫い
２０    装飾のためのビーズ状の物
３０    網目化学繊維材料のネット基材による筒状ネットの端部
３１    網目化学繊維材料のネット基材による筒状ネットの端部
３２    ストッパー機能付き装飾握り玉２の主要弾性素材
３３    コーティング素材
【図１】
0003180078.tif 000003
【図２】
0003180078.tif 000004
【図３】
0003180078.tif 000005
【図４】
0003180078.tif 000006
【図５】
0003180078.tif 000007
【図６】
0003180078.tif 000008
【図７】
0003180078.tif 000009
【図８ａ】
0003180078.tif 000010
【図８ｂ】
0003180078.tif 000011
【手続補正書】
【提出日】平成24年3月27日(2012.3.27)
【手続補正１】
【補正対象書類名】実用新案登録請求の範囲
【補正対象項目名】全文
【補正方法】変更
【補正の内容】
【実用新案登録請求の範囲】
【請求項１】
両端が開放した、筒状の網目化学繊維材料のネット基材を使用し、最上部に空間を飾るインテリア備品となるように袋状の装飾を目的とした装飾化粧ヒダがあり、装飾化粧ヒダの下部分は、固形石鹸が出てこないように閉じる締め紐付ネック部分があり、締め紐付ネックの下部分は、固形石鹸を収納する２重構造の一体型袋状になっていて、インテリア性を備え、常に固形石鹸が収容されていることにより簡単に泡立てができることを特徴とする固形石鹸ネット。
【請求項２】
固形石鹸が出てこないように閉じることを特徴とする請求項１記載の締め紐付ネック部分は、上下にミシン掛け縫いにより閉じられた筒状の部分が構成され、ストッパー機能付き装飾握り玉付きの紐を通し、その紐を絞り、筒状の口を閉じるとストッパー機能付き装飾握り玉により紐が緩むのを止める機能がある。
【請求項３】
簡単な泡立てを特徴とする請求項１記載の２重の網目化学繊維材料のネット基材より形成される一体型袋状は、内側の石鹸ホルダーネットと外側の泡立てネットのお互いの底部分で一体的に溶着されていて、一体の２重型袋状になっている。内側の石鹸ホルダーネットより外側の泡立てネットの方が大きな袋状となっている為、お互いのネットの間に空間が発生する。上端の口から内側の石鹸ホルダーネットに固形石鹸を投入し、ストッパー機能付き装飾握り玉付きの紐を絞り、口を閉じて水又は、お湯等を少量介在させて両手に包み揉みながら、泡立てると、内側の石鹸ホルダーネットと外側の泡立てネットの間に自然に空気を取り込んだきめ細かい泡が発生する。泡は、手揉みを繰り返すことで外側の泡立てネットの外部へ押し出されて、ネットから泡を引き絞ることなく自然に手に移動する。
【請求項４】
請求項１記載の固形石鹸ネットの最上部は、ストッパー機能付き装飾握り玉により上端の口が閉じられた状態であり、最下部は、内側の石鹸ホルダーネットと外側の泡立てネットの底部分が一体的に溶着され袋状となり、閉じた状態であることにより、内側の石鹸ホルダーネットと外側の泡立てネットを一体で溶着することで、最下部は、２重のネットが１点に絞られた状態になり複雑にネットどうしが多くのヒダを形成し、隙間を生み最下部が閉じた状態により石鹸受皿に置いて保管ができ、且つヒダ形状の隙間が乾燥を促進する機能を持つことを特徴とする固形石鹸用泡立てネット。
【手続補正書】
【提出日】平成24年7月4日(2012.7.4)
【手続補正１】
【補正対象書類名】実用新案登録請求の範囲
【補正対象項目名】全文
【補正方法】変更
【補正の内容】
【実用新案登録請求の範囲】
【請求項１】
両端が開放した、筒状の網目化学繊維材料のネット基材を使用し、最上部に空間を飾るインテリア備品となるように袋状の装飾を目的とした装飾化粧ヒダがあり、装飾化粧ヒダの下部分は、固形石鹸が出てこないように閉じる締め紐付ネック部分があり、締め紐付ネックの下部分は、固形石鹸を収納する２重構造の一体型袋状になっていて、インテリア性を備え、常に固形石鹸が収容されていることにより簡単に泡立てができることを特徴とする固形石鹸用泡立てネット。
【請求項２】
固形石鹸が出てこないように閉じることを特徴とする前記締め紐付ネック部分は、上下にミシン掛け縫いにより閉じられた筒状の部分が構成され、ストッパー機能付き装飾握り玉付きの紐を通し、その紐を絞り、筒状の口を閉じるとストッパー機能付き装飾握り玉により紐が緩むのを止める構造を特徴とする請求項１に記載の固形石鹸用泡立てネット。
【請求項３】
簡単な泡立てを特徴とする前記２重の網目化学繊維材料のネット基材より形成される一体型袋状は、内側の石鹸ホルダーネットと外側の泡立てネットのお互いの底部分で一体的に溶着されていて、一体の２重型袋状構造を形成し、内側の石鹸ホルダーネットより外側の泡立てネットの方が大きな袋状となっている為、お互いのネットの間に空間がある構造を特徴とする請求項１に記載の固形石鹸用泡立てネット。
【請求項４】
前記固形石鹸用泡立てネットの最上部は、ストッパー機能付き装飾握り玉により上端の口が閉じられた状態であり、最下部は、内側の石鹸ホルダーネットと外側の泡立てネットの底部分が一体的に溶着され袋状となり、閉じた状態であることにより、内側の石鹸ホルダーネットと外側の泡立てネットを一体で溶着することで、最下部は、２重のネットが１点に絞られた状態になり複雑にネットどうしが多くのヒダを形成し、ヒダ状の隙間を持つ底部を特徴とする固形石鹸用泡立てネット。
【手続補正書】
【提出日】平成24年9月28日(2012.9.28)
【手続補正１】
【補正対象書類名】実用新案登録請求の範囲
【補正対象項目名】全文
【補正方法】変更
【補正の内容】
【実用新案登録請求の範囲】
【請求項１】
両端が開放した、筒状の網目化学繊維材料のネット基材を使用し、最上部に空間を飾るインテリア備品となるように袋状の装飾を目的とした装飾化粧ヒダがあり、装飾化粧ヒダの下部分は、固形石鹸が出てこないように閉じる締め紐付ネック部分があり、締め紐付ネックの下部分は、固形石鹸を収納する２重構造の一体型袋状になっていて、インテリア性を備え、常に固形石鹸が収容されていることにより簡単に泡立てができることを特徴とする固形石鹸用泡立てネット。
【請求項２】
固形石鹸が出てこないように閉じることを特徴とする前記締め紐付ネック部分は、上下にミシン掛け縫いにより閉じられた筒状の部分が構成され、ストッパー機能付き装飾握り玉付きの紐を通し、その紐を絞り、筒状の口を閉じるとストッパー機能付き装飾握り玉により紐が緩むのを止める構造を特徴とする請求項１に記載の固形石鹸用泡立てネット。
【請求項３】
簡単な泡立てを特徴とする両端が開放した、筒状の網目化学繊維材料のネット基材より形成される一体型袋状は、内側の石鹸ホルダーネットと外側の泡立てネットのお互いの底部分で一体的に溶着されていて、一体の２重型袋状構造を形成し、内側の石鹸ホルダーネットより外側の泡立てネットの方が大きな袋状となっている為、お互いのネットの間に空間がある構造を特徴とする請求項１に記載の固形石鹸用泡立てネット。
【請求項４】
水分の乾燥を早めることを特徴とする最下部は、内側の石鹸ホルダーネットと外側の泡立てネットの底部分が一体的に溶着され袋状となり、閉じた状態であることにより、内側の石鹸ホルダーネットと外側の泡立てネットを一体で溶着することで、最下部は、２重のネットが１点に絞られた状態になり複雑にネットどうしが多くのヒダを形成し、ヒダ状の隙間を持つ底部を特徴とする請求項１に記載の固形石鹸用泡立てネット。